(57)【特許請求の範囲】
【請求項１】
少なくとも前後一対の針床を有する横編機を用いて、編地を分岐部で左右に分岐して編成する際に、分岐部の境界を挟んで位置する少なくとも左右一対の編目を交差させて交差部を形成した分岐部を有する編地の編成方法において、
分岐部領域内の表側に編目を編成し、分岐部領域内の裏側の空針で増目を行う際に、該増目した編目と、該増目した編目に対峙する表側の編目が繋がり、該増目した編目には新たな編目を編成し、分岐部の境界を挟んで表側に位置する左右の編目は交差せず、裏側に位置する左右の編目は交差による交差部を形成することを特徴とする分岐部を有する編地の編成方法。 
【請求項２】
前記分岐部領域内の裏側の空針での増目は、割増やし編成で形成した増目であることを特徴とする請求項１記載の分岐部を有する編地の編成方法。
【請求項３】
前記分岐部の領域内の裏側の空針での増目は、空針に捻れ目となる掛け目を設けて形成される増目であることを特徴とする請求項１記載の分岐部を有する編地の編成方法。
【請求項４】
横編機を用いて編成され、編幅の途中で左右に分岐される分岐部を有する編地において、
分岐部領域内の表側に交差しない編目を備え、分岐部領域内の裏側では増目を行い、該増目した編目と、該増目した編目に対峙する表側の編目が繋がり、該増目した編目には新たな編目が形成され、分岐部の境界を挟んで裏側に位置する左右の編目を交差させていることを特徴とする分岐部を有する編地。
【発明の詳細な説明】
【技術分野】
【０００１】
本発明は、編幅の途中で編地を左右に分岐させる分岐部を有する編地において、分岐部の見栄えを改良した編地の編成方法およびその編地に関する。
【背景技術】
【０００２】
編幅の途中で左右に分岐させた編地には、Ｖネックのベストやセーターなどがある。例えばＶネックベストの前身頃の編成を行なう場合、まず１つの給糸口を使用して衿首の分岐部が形成される編目コースまでの全幅部の編成を行なう。そして分岐部から左肩部と右肩部に左右に分岐させて編成を行い、衿首を形成する。一方の肩部の編成には、全幅部の編成で使用した給糸口をそのまま使用して編成を行い、他方の肩部の編成にはそれまで使用してきた給糸口に換えて他の給糸口を使用する。このＶネックベストの場合、着用時には分岐部に横方向の張力がかかる。そして分岐部の編糸にその編糸の伸度を越えるような大きな張力となった場合には、その編糸は分岐部で切れる虞があり、本願出願人は増し目ループの交差を用いた分岐部の強化についての提案を行っている。（特許文献１）。
【先行技術文献】
【特許文献】
【０００３】
【特許文献１】特許第３９６７９２２号公報
【発明の概要】
【発明が解決しようとする課題】
【０００４】
本発明の目的は、上記特許文献１の改良であって、分岐部に適度な強度を有しながら交差部が目立たない分岐部の編成方法とその編地を提供することを目的とする。
【課題を解決するための手段】
【０００５】
本発明は、少なくとも前後一対の針床を有する横編機を用いて、編地を分岐部で左右に分岐して編成する際に、分岐部の境界を挟んで位置する少なくとも左右一対の編目を交差させて交差部を形成した分岐部を有する編地の編成方法において、分岐部領域内の表側に編目を編成し、分岐部領域内の裏側の空針で増目を行う際に、該増目した編目と、該増目した編目に対峙する表側の編目が繋がり、該増目した編目には新たな編目を編成し、分岐部の境界を挟んで表側に位置する左右の編目は交差せず、裏側に位置する左右の編目は交差による交差部を形成することを特徴とする。
【０００６】
また本発明で、前記分岐部領域内の裏側の空針での増目は、割増やし編成で形成した増目であることを特徴とする。
【０００７】
また本発明で、前記分岐部の領域内の裏側の空針での増目は、空針に捻れ目となる掛け目を設けて形成される増目であることを特徴とする。
【０００８】
さらに本発明は、横編機を用いて編成され、編幅の途中で左右に分岐される分岐部を有する編地において、分岐部領域内の表側に交差しない編目を備え、分岐部領域内の裏側では増目を行い、該増目した編目と、該増目した編目に対峙する表側の編目が繋がり、該増目した編目には新たな編目が形成され、分岐部の境界を挟んで裏側に位置する左右の編目を交差させていることを特徴とする分岐部を有する編地である。
【発明の効果】
【０００９】
本発明では、分岐部領域内の裏側で増目を形成し、増目に繋がる新たな編目に対し、分岐部の境界を挟んで裏側でのみ交差させることで、分岐部領域内の表側の編目に交差が及ばず、表側の編成した編目が交差しない状態のままで見栄えが良い。また、表側の編目に隠れた状態で行う分岐部の境界を挟んだ裏側での交差により、用いる編糸の本数が増加して強度も上がる。
【００１０】
また、前記分岐部の領域内の裏側の空針での増目は、割増やした増目である。新たな編目を形成する行程で割増やし編成が可能であり、新たな編目の形成と増目が同時に出来るので効率の良い編成となる。さらに、表側に並ぶ編目を繋げて同条件で編成するため、同じ目面にすることができて見栄えも良い。
【００１１】
また、前記分岐部の領域内の裏側の空針での増目は、空針に捻れ目となる掛け目を設けて形成される増目であり、割増やし編成の機能を持ち合わせていない編機での編成を可能とする。
【００１２】
また、本発明による編地は、分岐部領域内を表側と裏側で構成し、表側は交差することなく、分岐部周辺の編地と同じ条件で編成されて外観が綺麗に仕上がり、裏側では分岐部の境界を挟んで左右の編目が交差し、分岐部が強化された編地となる。
【図面の簡単な説明】
【００１３】
【図１】本発明の実施例であるＶネックベスト１０の前身頃１を示す図である。
【図２】本発明の実施例１である前身頃1の分岐部２の編成図である。
【図３】本発明の実施例２である前身頃1の分岐部２の編成図である。
【図４】本発明の実施例２である前身頃1の分岐部２に続く部分の編成図である。
【図５】本発明の実施可能な他の適応箇所を示すスクエアネックベスト４０の前身頃４１を示す図である。
【発明を実施するための形態】
【００１４】
以下、本発明の実施例として、分岐部２の説明を行う。編成に使用する横編機は、前後一対の針床を備えた２枚ベッド横編機であり、後針床が前針床に対してラッキング可能で、針床の上方に複数の給糸口を有するものである。編成図は、説明の便宜上、針数を実際の編成よりも少なくしている。
【実施例１】
【００１５】
図１は、Ｖネックベスト１０の前身頃１を示す図である。本実施例で編成されるベストの前身頃１はすべて天竺で編成する。図で示すように矢印Ｗの方向に向かって分岐部２まで編成される全幅部４と、分岐部２から左右に分岐して編成される右肩部６と左肩部７とから成る。全幅部４および右肩部６は給糸口８を使用して編成し、左肩部７は給糸口９を使用して編成する。破線Ｘ−Ｘは分岐部２の境界を示す。
【００１６】
図２は、実施例１としての図１で示す分岐部２の編成図である。編成図では、図中左側の数字は編成ステップ（Ｓ）を示し、左右方向の矢印は編成方向を、上下方向の矢印は目移し方向を示し、ＦＢは前針床を、ＢＢは後針床を示す。大文字のＡ〜ＰはＦＢの編針を、小文字のａ〜ｐはＢＢの編針を示す。また、丸印はその編成ステップで形成される新たな編目または目移しされる編目を、Ｖ印はタックまたは掛け目を、二重丸印は重ね目を示す。尚、その編成ステップでの編成に関係せず、編針に係止されたままの編目については図示を省略する。また、図１と同様にＸ−Ｘ線は分岐部２の境界を示す。また、ＦＢ側を表側、ＢＢ側を裏側と表現する場合もある。上記内容は、後述する実施例２としての図３、図４にも適用する。
【００１７】
図２で示す編成ステップＳ１〜Ｓ９について説明する。Ｓ１は、前身頃１の全幅部４の編成を示し、給糸口８はキャリッジ（不図示）により右方向に移動され、ＦＢの編針Ａ〜Ｐで編目を形成する。
【００１８】
Ｓ２では、左方向に編針Ｐ〜編針Ｆで編目を形成する。図１では、Ｖネックのスタート部を分岐部２と示しているが、具体的にその構成を成している編目を係止する編針Ｐ〜編針Ｆが分岐部領域２５となる。この時、編針Ｋ〜編針Ｆで割増やし編成を行い、分岐部領域２５の表側となるＦＢの編針Ｋ〜編針Ｆで新たな編目２２を形成する。それと同時に、元々編針Ｋ〜編針Ｆで係止していた編目が目移しされて、分岐部領域２５の裏側となるＢＢの編針ｋ〜編針ｆで係止される。その結果、ＢＢの編針ｋ〜編針ｆに増目が形成される。当然ながら、分岐部領域２５の表側となる各編目２２は、対峙する裏側となる各増目２１とは繋がっている。
【００１９】
Ｓ３では、右方向にＦＢの編針Ｅに係止する編目にタックを行い、続けてＢＢの編針ｆ〜編針ｋで編目２３を編成する。Ｓ４では、左方向に編針Ｌに係止する編目にタックを行い、続けてＦＢの編針Ｋ〜編針Ｆで編目２４を形成する。Ｓ３とＳ４では、分岐部領域２５に対して袋編成を行うことで編成を容易にする。ＢＢの編目２１は、割増やし編成によって一つの編目が割られて増目が形成され、その増目のループは小さいので、上記袋編成によりループを大きくでき、その後の編成を容易にする効果は大きい。他に、Ｓ４に替えてＳ３の逆方向であるＢＢの編針ｋ〜編針ｆでの編成や、Ｓ３とＳ４の往路と復路で１コース全体の編目が形成されるように、一目置きに編成するスムース編みを行っても良い。また、タックは見栄えに関するものなので、省略してもよい。
【００２０】
Ｓ５では、右方向にＢＢの編針ｆ〜編針ｈで編目を形成する。Ｓ６では、左方向にＢＢの編針ｈ〜編針ｆとＦＢの編針Ｅ〜編針Ａに編目を形成する。Ｓ５とＳ６では、公知の分離編みを行っている。３ｘ３や４ｘ４など交差を行う編目数が増える程、使用する効果が高く、編成が容易となる。なお、編糸や編目の条件により、分離編みが無くても編成できるのは勿論である。
【００２１】
Ｓ７とＳ８では、分岐部の境界を挟んで裏側に位置する左右の編目のみが、交差部として増目に繋がる編目の交差を行う。Ｓ７では、ＢＢの編針ｉ〜編針ｋに係止する編目をＦＢの編針Ｆ〜編針Ｈに目移しする。Ｓ８では、ＢＢの編針ｆ〜編針ｈに係止する編目をＦＢの編針Ｉ〜編針Ｋに目移しする。いずれの編目も編針が３本分の移動となっており、交差部では３Ｘ３の交差が行われる。Ｓ９では、分岐部の境界を挟んで裏側に位置する左右の編目が交差してＦＢの編針Ｆ〜編針Ｋに係止する表側の編目２４と重なる。分岐部に左右方向に離れる力が加わった際には、裏側の３Ｘ３の交差部分で力が分散され、糸切れなどが起こり難い。本実施例では、裏側で交差した編目が表側の編目に重なる状態を示したが、必ずしも重なる必要はなく、４枚ベッドや目移し専用のジャックを備えている横編機などでは、交差を行って裏側の編針に係止し、前後の編針に対し筒状に編目を係止した状態のままで、続けて右肩部６と左肩部７のＶネックに筒状の編成を行っても良い。
【実施例２】
【００２２】
図３は、実施例２としての図１で示す分岐部２の編成図である。図４は、図３の分岐部２に続く部分の編成図である。以下、図３、図４で示す編成ステップＳ１〜Ｓ２１について説明する。Ｓ１は、前身頃１の全幅部４の編成を示し、給糸口８はキャリッジ（不図示）により右方向に移動され、ＦＢの編針Ａ〜Ｐで編目を形成する。
【００２３】
Ｓ２では、左方向に編針Ｐ〜編針Ｌで編目を形成する。Ｓ３では、右方向にＢＢの編針ｋに掛け目の形成を行う。続いてＳ４では、左方向に編針Ｋで新たな編目を形成する。このＳ２〜Ｓ４の給糸口の動きにより、Ｓ３で形成した掛け目は捻れ目となり、分岐部領域３５の表側の編目と対峙する後側の捻れ目が繋がっている。この後、Ｓ５〜Ｓ１４に対し、Ｓ３とＳ４で行った編成と同様に、ＢＢの編針に掛け目と対峙するＦＢの編針に係止する編目に新たな編目を形成することを１針ずつ編針Ｆ，ｆに向けて進めていく。このＦＢの編針Ｋ〜編針Ｆ間が分岐部領域３５となる。
【００２４】
Ｓ１５では、ＦＢの編針Ｅに係止する編目にタックを行い、続けて分岐部領域３５の裏側となるＢＢの編針ｆ〜編針ｊで編目３１を形成する。Ｓ１６では、左方向にＦＢの編針Ｋに係止する編目にタックを行い、続けて分岐部領域３５の表側となるＦＢの編針Ｊ〜編針Ｆで編目３２を形成する。実施例１と同様にＳ１５とＳ１６では、前後編地に対して袋編成を行うことで、後述する交差部で交差を実施する際に、裏側の編目に引っ張られた時の伸び代を与える。また、タックで、捻れ目により増目された編目３０が分岐部領域３５外の編地と確実に繋がり、編目も安定する。
【００２５】
Ｓ１７では、右方向にＢＢの編針ｉ〜編針ｋで編目３３を形成する。Ｓ１８では、左方向にＢＢの編針ｈ〜編針ｆで編目３４を、ＦＢの編針Ｅ〜編針Ａに編目を形成する。Ｓ１７とＳ１８でも、分離編みを行っている。Ｓ１９とＳ２０では、分岐部の境界を挟んで位置する裏側の編目を交差させて交差部を形成する。Ｓ１９では、ＢＢの編針ｉ〜編針ｋに係止する編目をＦＢの編針Ｆ〜編針Ｈに目移しする。Ｓ２０では、ＢＢの編針ｆ〜編針ｈに係止する編目をＦＢの編針Ｉ〜編針Ｋに目移しする。つまり、交差部では３Ｘ３の交差が行われる。Ｓ２１では、交差した編目が、ＦＢの編針Ｆ〜編針Ｋに係止する各編目と重なっている。実施例１と同様に、分岐部２の形成はこの交差で終わるが、この重ね目の形成は行っても行わなくてもどちらでも良い。分岐部２の後のＶネックの繋がりに合うようにすれば良い。
【００２６】
図５は、他に実施可能な適応箇所を示すスクエアネックベスト４０の前身頃４１を示す図である。分岐部４２近傍までは、図１のＶネックの分岐部２までと同じ編成であるが、このスクエアネックの場合は紙面右側の分岐部４２で分岐したあと、伏目部４３を紙面左に向けて伏目処理を行う。この分岐部４２では伏目処理を行うため、横方向の張力が加わり、分岐部４２が割れて広がってしまう虞があるが、本発明を適応すれば、分岐部４２の編目の見栄えも綺麗で編目も割れてこない。更に、スクエアネックベスト４０の下部にデザインの一部などでスリット４４が必要な際にも、分岐部４５に本発明を適応できる。広い開口部に繋がる分岐部４２やスリット４４に繋がる分岐部４５のいずれの場合も、表側は周りの編目と同じ状態で綺麗に見え、裏側の編目交差で強度も確保することができる。本発明の主旨に逸脱しない範囲において、見栄えが良く適度な強度を有する分岐部として実施が可能である。
【００２７】
本実施例における分岐部領域内の裏側での増目の交差は、３Ｘ３の交差を示しているが、交差の方法はこれに限らない。さらに、交差をさせるための目移しの順番は、右側と左側でどちらを先行しても良い。表側の編目に隠れる為、見栄え上の問題が解消され、分離編みなどの関係で編み易い順番にすれば良い。
【符号の説明】
【００２８】
１，４１          前身頃
２，４２，４５    分岐部
６                右肩部
７                左肩部
８，９            給糸口
１０              Ｖネックベスト
２２，２３，３１，３２，３３    編目
【図１】
0005552374.tif 000002
【図２】
0005552374.tif 000003
【図３】
0005552374.tif 000004
【図４】
0005552374.tif 000005
【図５】
0005552374.tif 000006